(57)【要約】  【課題】  強度を維持しつつ、光斑を抑えて、光の減衰を軽減したセンサーライト用の光源カバーおよびセンサーライトを提供する。  【解決手段】  本考案は、ＬＥＤ光源を保護するカバー体２と、カバー体２の外周に設けられカバー体２を光源に取り付ける取付部３とを備え、透明な樹脂製のセンサーライト用の光源カバー１およびこの光源カバー１を備えるセンサーライトである。カバー体２は光源側の面に光拡散部７を有する。光拡散部７は一定間隔を空けて規則的に並ぶ複数の凹所を有する。光拡散部７は、角錐状で並進配置した複数の四角錐凹所７１と、並進対称軸に沿って四角錐凹所７１を区切る平面からなる格子部７２とを有することが好ましい。【選択図】  図２
0003208804.tif 000002
【実用新案登録請求の範囲】
【請求項１】
ＬＥＤ光源を保護するカバー体と、該カバー体の外周に設けられ前記カバー体を前記光源に取り付ける取付部とを備え、透明な樹脂製のセンサーライト用の光源カバーであって、
前記カバー体は光源側の面に光拡散部を有し、
該光拡散部は一定間隔を空けて規則的に並ぶ複数の凹所を有することを特徴とするセンサーライト用の光源カバー。
【請求項２】
光拡散部は、角錐状で並進配置した複数の四角錐凹所と、並進対称軸に沿って該四角錐凹所を区切る平面からなる格子部とを有し、
前記四角錐凹所は正面視その四つの内角が等しい菱形であることを特徴とする請求項１記載のセンサーライト用の光源カバー。
【請求項３】
請求項１または２記載の光源カバーを備えることを特徴とするセンサーライト。
【考案の詳細な説明】
【技術分野】
【０００１】
本考案は、センサーライト用の光源カバーおよびセンサーライト、特にＬＥＤを光源とするセンサーライト用の光源カバーおよびＬＥＤを光源とするセンサーライトに関する。
【背景技術】
【０００２】
従来から、特許文献１に示すように、光源（ＬＥＤモジュール）、制御部および人感センサを備えた照明装置が知られている。特許文献２に示すように、照明カバーとして、光源を覆う様に配置された照明カバー本体と、該照明カバー本体の光源側の面、若しくは、光源とは逆側の面の少なくとも一方に不規則に形成された凹凸形状とを備えるものが知られている。
【０００３】
特許文献３に示すように、センサーライトとして、本体ライトが、商用電源からの電力供給を受け照明用ＤＣ電源を供給する電源部と、人検知センサと、人検知センサの検知に基づいて点灯制御する制御部と、ＬＥＤライトを備えた照明部とを備えるものが知られている。
【先行技術文献】
【特許文献】
【０００４】
【特許文献１】特開２０１１−２２８１５１公報
【特許文献２】特開２０１３−０２０９１７公報
【特許文献３】実用新案登録第３１９４８１４号公報
【考案の概要】
【考案が解決しようとする課題】
【０００５】
特許文献１の照明装置や特許文献２の照明カバーは、その透光部や照明カバー本体に乳白色の部材を用いるなどで、高輝度なＬＥＤの光を減衰させることを目的の一つとしている。センサーライトは、屋外での使用が多く、光斑を抑えつつ明るさが求められる。このため、特許文献１の照明装置や特許文献２の照明カバーなどはあまり向かない。
【０００６】
また、特許文献３のセンサーライトは、照明部がＬＥＤライトを備えるのみで、光源カバーを備えていない。そして、センサーライトは、屋外で使用されることが多いため、光源カバーを備える場合、光源カバーにある程度の強度が求められる。
【０００７】
したがって、強度を維持しつつ、光斑を抑えて、光の減衰を軽減して、センサーライトに好適に使用することができるセンサーライト用の光源カバーおよびセンサーライトを提供することを目的とする。
【課題を解決するための手段】
【０００８】
本考案のセンサーライト用の光源カバーは、上記課題に鑑み、ＬＥＤ光源を保護するカバー体と、カバー体の外周に設けられカバー体を光源に取り付ける取付部とを備え、透明な樹脂製のセンサーライト用の光源カバーであって、カバー体は光源側の面に光拡散部を有し、光拡散部は一定間隔を空けて規則的に並ぶ複数の凹所を有する、ことを特徴とするものである。
【０００９】
また、上述した構成に加え、光拡散部は、並進配置した複数の四角錐凹所と、並進対称軸に沿って四角錐凹所を区切る平面からなる格子部とを有し、四角錐凹所は正面視その四つの内角が等しい菱形である、ことが好ましい。
【００１０】
また、本考案のセンサーライトは、上述したいずれかの光源カバーを備える、ことを特徴とするものである。
【考案の効果】
【００１１】
本考案は、カバー体が光拡散部を有するため、カバー体による光斑を軽減することができる。さらに、本考案は、光源カバーが光拡散板を兼ねることができ、光源と光源カバーとの間の光が透過する部材を削減して、光の減衰および光斑を軽減しやすくできる。本考案は、光拡散部として凹所を有するため、凸部で光を拡散する場合に比べてカバー体を薄くすることができ、カバー体による光の減衰を軽減しやすくできる。
【００１２】
本考案は、間隔を空けて凹所を並べることで、凹所の間の部分により光源カバーの強度を維持しやすくすることができる。さらに、本考案は、この間の部分により凹所で拡散された光が隣り合う他の凹所で反射され難くすることができる。これにより、本考案は、カバー体での反射による光の減衰を軽減しやすくすることができる。以上のように、本考案は、強度を維持しつつ、光斑を抑えて、光の減衰を軽減したセンサーライト用の光源カバーを提供することができる。
【００１３】
本考案は、強度を維持しつつ、光斑を抑えて、光の減衰を軽減した光源カバーを備えることで、光源カバーの強度を維持しつつ、光斑を抑えてかつ減衰を軽減した光を照射することができるセンサーライトを提供することができる。
【図面の簡単な説明】
【００１４】
【図１】本考案の実施形態に係るセンサーライト用の光源カバーの一例を示す斜視図である。
【図２】図１の光源カバーの背面図である。
【図３】図２の光源カバーのＡ、Ｂ、Ｃ、Ｄ線で切断した領域の斜視図である。
【図４】図３の領域における光源カバーのＥ線断面図である。
【図５】図３の領域における光源カバーのＦ線断面図である。
【考案を実施するための形態】
【００１５】
本考案の実施形態について図面に基づいて詳細に説明する。
【００１６】
光源カバー１は、図１に示すように、板状のカバー体２と、カバー体２を光源９（図４参照）に取り付ける取付部３とを備える。光源カバー１はセンサーライト用であり、ＬＥＤを光源９とするセンサーライトに好適に用いられる。光源カバー１は光源９の照射方向前方に配置され、光源９（ＬＥＤ光源）を保護する。
【００１７】
光源カバー１は、カバー体２および取付部３が一体に形成される。光源カバー１は透光部材で形成され、例えば無色かつ透明な樹脂製である。以下、カバー体２の中央を基準に、光源９側（入射側）を後方、反対側（出射側）を前方とする。
【００１８】
カバー体２は、その左右両端部が後外方に向けて傾斜する。カバー体２は、図２に示すように、光を透過する透過部４と、透過部４に外周に沿って設けられその外周全体を補強する枠部５と、枠部５と透過部４との境界全周から裏面側に突出するリブ６とを有する。光源カバー１はリブ６の後端から取付部３が後方に突出する。光源カバー１は、例えば、透過部４と枠部５とリブ６を一体成型により形成される。
【００１９】
透過部４は、正面視長方形状である。透過部４は平板状である。透過部４はその背面に光源９からの光を拡散する光拡散部７を有する。
【００２０】
光拡散部７は、複数の四角錐凹所７１（凹所）と、四角錐凹所７１を区切る格子部７２とを有する。四角錐凹所７１は四角錐状の凹みであり、角錐の軸が光源９からの照射方向と平行に並ぶ。四角錐凹所７１は正面視その四つの内角が等しい菱形である。
【００２１】
四角錐凹所７１は一定間隔を空けて透過部４の背面に規則的に並ぶ。四角錐凹所７１の並びは、例えば、並進配置される。並進配置とは、すべての四角錐凹所７１が周期的な平行移動によって重なる配置である。光源カバー１は、例えば、図４で模式的に示すように、光源９からの光を矢印で示すように四角錐凹所７１により拡散および分散して出射する。
【００２２】
隣り合う四角錐凹所７１の間の背面に沿う平面の部分が、格子部７２となっている。格子部７２は、図２に示すように、四角錐凹所７１の並ぶ２方向の並進対称軸に沿って設けられ、上下方向に対して交差する。格子部７２は四角錐凹所７１の外周全体を囲む。格子部７２の幅は、四角錐凹所７１の菱形の一辺の長さに比べて十分狭く、例えば１０分の１以下程度となっている。
【００２３】
光源カバー１は、カバー体２が光拡散部７を有するため、光源９の光を透過部４から拡散および分散して出射し、カバー体２による光斑を軽減することができる。さらに、光源カバー１は、光源カバー１が光拡散板を兼ねることができ、光源９と光源カバー１との間の光が透過する部材を削減して、光の減衰および光斑を軽減しやすくできる。
【００２４】
光源カバー１は、光拡散部７として四角錐凹所７１を有するため、凸部で光を拡散する場合に比べてカバー体２を薄くすることができ、カバー体２による光の減衰を軽減しやすくできる。四角錐凹所７１により透過部４の強度が低下しやすいところ、光源カバー１は、四角錐凹所７１の間に格子部７２を有することで、透過部４の強度を維持しやすくすることができる。
【００２５】
光源カバー１は、格子部７２により四角錐凹所７１で拡散された光が隣り合う他の四角錐凹所７１の傾斜面に到達して光源９側に反射されることを抑制することができる。これにより、光源カバー１は、カバー体２での反射による光の減衰を軽減しやすくすることができる。
【００２６】
光源カバー１は、カバー体２の左右両端部が後方に傾斜するため、カバー体２の傾斜した左右両端部において、上下方向に沿う格子部７２では正面視平行に並ぶ格子部７２間の距離が傾斜に沿って狭まるのに対して、上下方向に交差する格子部７２では前記間の距離を略一定に保つことができ、光斑を軽減することができる。
【００２７】
センサーライトは、上述の光源カバー１と、ＬＥＤからなる光源９と、人検知センサと、この人検知センサで人を検知すると光源９を点灯させる制御部とを備える。このため、センサーライトは、強度を維持した光源カバー１を介して、光斑を抑えてかつ減衰を軽減した光を外部に照射することができる。
【符号の説明】
【００２８】
１…光源カバー、２…カバー体、３…取付部、４…透過部、５…枠部、６…リブ、７…光拡散部、７１…四角錐凹所、７２…格子部、９…光源。
【図１】
0003208804.tif 000003
【図２】
0003208804.tif 000004
【図３】
0003208804.tif 000005
【図４】
0003208804.tif 000006
【図５】
0003208804.tif 000007